(57)【要約】      （修正有）【課題】工事現場における自然環境の保全活動を行う環境保全支援システムを提供する。【解決手段】環境保全システム１は、サーバ装置３が、携帯型情報端末２からの送信要求に応じて記憶部に記憶されている希少野生生物種データベースの内容を携帯型情報端末２に送信する。【効果】工事現場１１毎に環境手帳を製作する必要が無くなり、多くの費用を要することなく工事現場１１における自然環境の保全活動を行うことができる。また、希少野生生物種データベースは電子化されているので、容易にアップデートを行うことができると様々な工事現場１１における希少野生生物種を一元管理することができる。また、希少野生生物種データベースを作業員１２の受入時の環境教育チュートリアルに利用することによって、工事現場１１の周辺に生息する希少野生生物種に対する理解が深まり、環境意識の向上を図ることができる。【選択図】図１
2015172839.tif 000002
【特許請求の範囲】
【請求項１】
工事現場内において作業員が携行する携帯型情報端末と、
電気通信回線を介して前記携帯型情報端末に接続されたサーバ装置と、を備え、
前記サーバ装置は、
希少野生生物種に関する情報を記憶する記憶部と、
前記携帯型情報端末からの送信要求に応じて前記記憶部に記憶されている希少野生生物種に関する情報を携帯型情報端末に送信する制御部と、
を備えることを特徴とする環境保全支援システム。
【請求項２】
前記携帯型情報端末は、携帯型情報端末の位置情報を取得する位置情報取得部を備え、前記サーバ装置の制御部は、所定の操作に応じて前記位置情報取得部が取得した位置情報を希少野生生物種が発見された位置情報として前記記憶部に記憶させることを特徴とする請求項１に記載の環境保全支援システム。
【発明の詳細な説明】
【技術分野】
【０００１】
本発明は、工事現場における自然環境の保全活動を支援する環境保全支援システムに関するものである。
【背景技術】
【０００２】
一般に、ダム工事、大規模トンネル工事、大規模造成工事等の土木建築工事における工事現場では、大規模な環境改変が行われるため、環境手帳（環境ハンドブックともいう）が製作される。環境手帳とは、希少野生生物種の見分け方や工事現場内で希少野生生物種を発見した位置を記録するための地図等が掲載されている、作業員が携行できる大きさの冊子である。作業員は、自然環境に対する環境改変の影響を可能な限り回避、低減するために、工事現場内では環境手帳を常に携行し、希少野生生物種を発見した場合、自然環境保全法等で指定された対策を施すことによって、工事現場における自然環境を保全している。
【先行技術文献】
【特許文献】
【０００３】
【特許文献１】特開２００３−２６３４８８号公報
【特許文献２】特開２００２−２６９０４９号公報
【発明の概要】
【発明が解決しようとする課題】
【０００４】
しかしながら、環境手帳は工事現場毎に製作する必要があり、またその製作部数が少ないために、環境手帳を利用して工事現場における自然環境の保全活動を行う場合、多くの費用を要する。このため、多くの費用を要することなく工事現場における自然環境の保全活動を行うことが可能な技術の提供が期待されていた。
【０００５】
本発明は、上記課題に鑑みてなされたものであって、その目的は、多くの費用を要することなく工事現場における自然環境の保全活動を行うことが可能な環境保全支援システムを提供することにある。
【課題を解決するための手段】
【０００６】
上記課題を解決し、目的を達成するために、本発明に係る環境保全支援システムは、工事現場内において作業員が携行する携帯型情報端末と、電気通信回線を介して前記携帯型情報端末に接続されたサーバ装置と、を備え、前記サーバ装置は、希少野生生物種に関する情報を記憶する記憶部と、前記携帯型情報端末からの送信要求に応じて前記記憶部に記憶されている希少野生生物種に関する情報を携帯型情報端末に送信する制御部と、を備えることを特徴とする。
【０００７】
本発明に係る環境保全支援システムは、上記発明において、前記携帯型情報端末は、携帯型情報端末の位置情報を取得する位置情報取得部を備え、前記サーバ装置の制御部は、所定の操作に応じて前記位置情報取得部が取得した位置情報を希少野生生物種が発見された位置情報として前記記憶部に記憶させることを特徴とする。
【発明の効果】
【０００８】
本発明に係る環境保全支援システムによれば、多くの費用を要することなく工事現場における自然環境の保全活動を行うことができる。
【図面の簡単な説明】
【０００９】
【図１】図１は、本発明の一実施形態である環境保全支援システムの構成を示す模式図である。
【図２】図２は、携帯型情報端末の内部構成を示すブロック図である。
【図３】図３は、サーバ装置の内部構成を示すブロック図である。
【図４】図４は、希少野生生物種データベースの一例を示す図である。
【図５】図５は、インターフェイス画面の一例を示す図である。
【発明を実施するための形態】
【００１０】
以下、図面を参照して、本発明の一実施形態である環境保全支援システムについて説明する。
【００１１】
〔環境保全支援システムの構成〕
始めに、図１〜図４を参照して、本発明の一実施形態である環境保全支援システムの構成について説明する。
【００１２】
図１は、本発明の一実施形態である環境保全支援システムの構成を示す模式図である。図１に示すように、本発明の一実施形態である環境保全支援システム１は、携帯型情報端末２と、サーバ装置３と、を主な構成要素として備え、携帯型情報端末２とサーバ装置３とはインターネット等の電気通信回線４を介して相互に情報通信可能なように接続されている。
【００１３】
携帯型情報端末２は、工事現場１１において自然環境の保全活動を行う作業員１２が常に携行できるように、スマートフォンやタブレットコンピュータ等の携帯型の情報処理装置によって構成されている。図２は、携帯型情報端末２の内部構成を示すブロック図である。図２に示すように、携帯型情報端末２は、位置情報取得部２１、通信部２２、操作入力部２３、出力部２４、及び制御部２５を備えている。
【００１４】
位置情報取得部２１は、ＧＰＳ（Global Positioning System）衛星から送信されるＧＰＳ信号を受信し、受信したＧＰＳ信号を解析することによって、携帯型情報端末２の位置情報（緯度及び経度）を取得する。
【００１５】
通信部２２は、電気通信回線４を介してサーバ装置３に各種情報を送信したり、電気通信回線４を介してサーバ装置３から送信された各種情報を受信したりする等、サーバ装置３との間の情報通信処理を制御する。
【００１６】
操作入力部２３は、タッチパネル等の操作入力装置によって構成され、携帯型情報端末２を携行する作業員１２の操作入力情報を制御部２５に出力する。
【００１７】
出力部２４は、液晶ディスプレイ装置等の出力装置によって構成され、制御部２５からの制御信号に従って携帯型情報端末２を操作する作業員１２に各種情報を出力する。
【００１８】
制御部２５は、ＣＰＵ等の演算処理装置によって構成され、携帯型情報端末２全体の動作を制御する。
【００１９】
図１に戻る。サーバ装置３は、パーソナルコンピュータやワークステーション等の公知の情報処理装置により構成されている。図３は、サーバ装置３の内部構成を示すブロック図である。図３に示すように、サーバ装置３は、通信部３１、記憶部３２、及び制御部３３を備えている。
【００２０】
通信部３１は、電気通信回線４を介して携帯型情報端末２に各種情報を送信したり、電気通信回線４を介して携帯型情報端末２から送信された各種情報を受信したりする等、携帯型情報端末２との間の情報通信処理を制御する。
【００２１】
記憶部３２は、工事現場１１において自然環境の保全活動を行うために必要な各種情報を記憶している。具体的には、記憶部３２は、インターフェイスデータ３２ａ及び希少野生生物種データベース３２ｂを記憶している。インターフェイスデータ３２ａは、携帯型情報端末２上で希少野生生物種データベース３２ｂの情報を閲覧する際に必要なインターフェイス画面を形成するために必要なデータである。インターフェイス画面の詳細については後述する。
【００２２】
希少野生生物種データベース３２ｂは、希少野生生物種に指定されている哺乳類、鳥類、爬虫類、両生類、魚類、昆虫類、植物、及び菌類に関するデータを格納しているデータベースである。ここで、希少野生生物種に指定されている鳥類のデータベースを一例として、希少野生生物種データベース３２ｂについて具体的に説明する。
【００２３】
図４は、希少野生生物種に指定されている鳥類のデータベースの一例を示す図である。図４に示すように、このデータベースには、希少野生生物種に指定されている鳥類の種名、詳細情報、及び生息が確認された工事現場１１内における位置及び確認時刻に関する情報が格納されている。詳細情報には、各鳥類の特徴、生息地、見分け方、鳴き声等の情報がテキストファイル形式、画像（動画、静止画）ファイル形式、及び音声ファイル形式で記憶されている。
【００２４】
図３に戻る。制御部３３は、ＣＰＵ等の演算処理装置によって構成され、サーバ装置３全体の動作を制御する。
【００２５】
〔環境保全支援システムの動作〕
このような構成を有する環境保全支援システム１は、以下に示すように動作することによって、工事現場１１における自然環境の保全活動を支援する。すなわち、工事現場１１内では、作業員１２は常に携帯型情報端末２を携行する。そして、希少野生生物種に関する情報を確認したい場合、作業員１２は、携帯型情報端末２又は携帯型情報端末２にインストールされている専用のアプリケーションプログラムを起動する。携帯型情報端末２の制御部２５は、起動に伴い通信部２２を介してインターフェイスデータ３２ａの送信要求をサーバ装置３に送信する。
【００２６】
サーバ装置３の制御部３３は、通信部３１を介してインターフェイスデータ３２ａの送信要求を受信すると、通信部３１を介して記憶部３２に記憶されているインターフェイスデータ３２ａを携帯型情報端末２に送信する。携帯型情報端末２の制御部２５は、通信部２２を介してインターフェイスデータ３２ａを受信すると、インターフェイスデータ３２ａを用いて出力部２４に図５に示すようなインターフェイス画面４１を出力する。
【００２７】
図５に示すインターフェイス画面４１には、それぞれ希少野生生物種を表す複数のアイコン４２、詳細情報ボタン４３、及び記録ボタン４４を備えている。作業員１２が、操作入力部２３を操作することによって、情報を確認したい希少野生生物種のアイコン４２を選択し、詳細情報ボタン４３を押下すると、携帯型情報端末２の制御部２５は、通信部２２を介して選択された希少野生生物種の詳細情報の送信要求をサーバ装置３に送信する。
【００２８】
サーバ装置３の制御部３３は、通信部３１を介して希少野生生物種の詳細情報の送信要求を受信すると、通信部３１を介して記憶部３２に記憶されている希少野生生物種データベース３２ｂの中から選択された希少野生生物種の詳細情報を抽出して携帯型情報端末２に送信する。携帯型情報端末２の制御部２５は、通信部２２を介して希少野生生物種の詳細情報を受信すると、出力部２４に希少野生生物種の詳細情報を出力する。これにより、作業員１２は工事現場１１内において希少野生生物種の詳細情報を容易に確認することができる。
【００２９】
一方、工事現場１１内で希少野生生物種を発見した場合には、作業員１２は、発見した希少野生生物種のアイコン４２を選択し、記録ボタン４４を押下する。記録ボタン４４が押下されると、携帯型情報端末２の位置情報取得部２１は、携帯型情報端末２の位置情報を取得する。そして、携帯型情報端末２の制御部２５は、通信部２２を介して選択された希少野生生物種の情報と携帯型情報端末２の位置情報及び確認日時とをサーバ装置３に送信する。
【００３０】
サーバ装置３の制御部３３は、通信部３１を介して希少野生生物種の情報と携帯型情報端末２の位置情報及び確認時刻とを受信すると、希少野生生物種データベース３２ｂの受信した希少野生生物種の欄内に受信した位置情報及び確認日時の情報を記録する。これにより、作業員１２は、地図を確認することなく希少野生生物種が発見された工事現場１１内における位置を簡単に記録することができる。
【００３１】
以上の説明から明らかなように、本発明の一実施形態である環境保全支援システム１では、サーバ装置３が、携帯型情報端末２からの送信要求に応じて記憶部３２に記憶されている希少野生生物種データベース３２ｂの内容を携帯型情報端末２に送信するので、工事現場１１毎に環境手帳を製作する必要が無くなり、多くの費用を要することなく工事現場１１における自然環境の保全活動を行うことができる。
【００３２】
また、希少野生生物種データベース３２ｂは電子化されているので、容易にアップデートを行うことができると様々な工事現場１１における希少野生生物種を一元管理することができる。また、希少野生生物種データベース３２ｂを作業員１２の受入時の環境教育チュートリアルに利用することによって、工事現場１１の周辺に生息する希少野生生物種に対する理解が深まり、環境意識の向上を図ることができる。
【００３３】
また、本発明の一実施形態である環境保全支援システム１では、携帯型情報端末２は、携帯型情報端末２の位置情報を取得する位置情報取得部２１を備え、サーバ装置３の制御部３３は、所定の操作に応じて位置情報取得部２１が取得した位置情報を希少野生生物種が発見された位置情報として希少野生生物種データベース３２ｂに記録するので、工事現場１１において希少野生生物種を発見した場合にその位置を簡単に記録することができる。
【００３４】
以上、本発明者らによってなされた発明を適用した実施の形態について説明したが、本実施の形態による本発明の開示の一部をなす記述及び図面により本発明は限定されることはない。すなわち、上記実施の形態に基づいて当業者等によりなされる他の実施の形態、実施例及び運用技術等は全て本発明の範疇に含まれる。
【符号の説明】
【００３５】
１  環境保全支援システム
２  携帯型情報端末
３  サーバ装置
４  電気通信回線
２１  位置情報取得部
２２  通信部
２３  操作入力部
２４  出力部
２５  制御部
３１  通信部
３２  記憶部
３２ａ  インターフェイスデータ
３２ｂ  希少野生生物種データベース
３３  制御部
４１  環境手帳画面
４２  アイコン
４３  詳細情報ボタン
４４  記録ボタン
【図１】
2015172839.tif 000003
【図２】
2015172839.tif 000004
【図３】
2015172839.tif 000005
【図４】
2015172839.tif 000006
【図５】
2015172839.tif 000007